(57)【要約】本発明は、無線通信ネットワーク間のハンドオーバのためにパイロット捕捉に適用される方法及び装置を提供する。本方法では、移動局が現在のサービスネットワークとしてサービスするＧＳＭシステムから別の無線通信ネットワークにハンドオーバすることが必要である場合、ＧＳＭシステム及び移動局は、パイロット捕捉の対応する開始ポイントが存在するＴＤＭＡフレームの後に挿入される、その後に会う最初のアイドルフレームの論理ロケーションをアップデートし、次いで、移動局は、予め定義された長さをもつパイロット捕捉の時間窓を形成するために開始ポイントの後にアイドルタイムスロットを利用し、最終的に、移動局は、パイロット捕捉の時間窓における別の無線通信ネットワークのパイロット信号を捕捉する。従来のパイロット捕捉の方法を本発明により提供される方法と比較して、移動局は、ターゲットのハンドオーバネットワークの完全なパイロット信号を捕捉するだけでなく、比較的短時間でパイロット捕捉プロセス全体を達成することができる。
2009500894.tif 000002
【特許請求の範囲】
【請求項１】
無線通信ネットワーク間のハンドオーバの間で移動局により実行されるパイロット信号を捕捉する方法であって、
（ａ）現在のサービスネットワークから送出されるアイドルフレームの論理ロケーションのアップデートメッセージを受信するステップと、
（ｂ）前記アイドルフレームの論理ロケーションのアップデートメッセージに従ってその後に会う最初のアイドルフレームの論理ロケーションを調節し、予め定義された長さをもつパイロット捕捉の時間窓を生成するステップと、
（ｃ）前記パイロット捕捉の時間窓を使用することでターゲットハンドオーバのパイロット信号を捕捉するステップと、
を含む方法。
【請求項２】
前記ステップ（ａ）は、
アップリングのタイムスロットとダウンリンクのタイムスロットの間のアイドルタイムスロットを有するパイロット捕捉の時間窓を使用することで、ターゲットハンドオーバのパイロット信号を捕捉することを試みるステップと、
ターゲットハンドオーバネットワークのパイロット信号を捕捉しないとき、現在のサービスネットワークにパイロット捕捉の失敗メッセージを送出するステップと、
を含む請求項１記載の方法。
【請求項３】
移動局のトラフィックチャネルに対応する高速の関連する制御チャネルを介して、前記アイドルフレームの論理ロケーションのアップデートメッセージが受信され、前記パイロット捕捉の失敗メッセージが送出される、
請求項１又は２記載の方法。
【請求項４】
現在のサービスネットワークはＧＳＭシステムである、
請求項３記載の方法。
【請求項５】
前記ターゲットハンドオーバネットワークはＴＤ−ＳＣＤＭＡシステムである、
請求項４記載の方法。  
【請求項６】
無線通信ネットワーク間のハンドオーバのためのパイロット捕捉のため、無線通信ネットワークに適用される方法であって、
（ａ）アイドルフレームの論理ロケーションのアップデートメッセージを移動局に送出するステップと、
（ｂ）移動局についてその後に会う最初のアイドルフレームの論理ロケーションを調節するステップと、
を含む方法。
【請求項７】
前記ステップ（ａ）の前に移動局から前記パイロット捕捉の失敗メッセージを受信するステップを更に含む、
請求項６記載の方法。
【請求項８】
前記アイドルフレームの論理ロケーションのアップデートメッセージは、現在のサービスネットワークから送出されるか、前記パイロット捕捉の失敗メッセージは、移動局のトラフィックチャネルに対応する高速の関連する制御チャネルを介して受信される、
請求項６又は７記載の方法。
【請求項９】
現在のサービスネットワークは、ＧＳＭシステムである、
請求項８記載の方法。
【請求項１０】
前記ターゲットハンドオーバネットワークは、ＴＤ−ＳＣＤＭＡシステムである、
請求項９記載の方法。
【請求項１１】
現在のサービスネットワークからアイドルフレームの論理ロケーションのアップデートメッセージを受信する受信ユニットと、
前記アイドルフレームの論理ロケーションのアップデートメッセージに従ってその後に会う最初のアイドルフレームの論理ロケーションを調節して、予め定義された長さをもつパイロット捕捉の時間窓を生成する調節ユニットと、
前記パイロット捕捉の時間窓を使用することでターゲットハンドオーバのネットワークのパイロット信号を捕捉する捕捉ユニットと、
を有する移動局。
【請求項１２】
アップリンクのタイムスロットとダウンリンクのタイムスロットの間のアイドルタイムスロットから構成されるパイロット捕捉の時間窓を使用することで、ターゲットハンドオーバのネットワークのパイロット信号を捕捉するのを試みる捕捉ユニットと、
前記ターゲットハンドオーバネットワークのパイロット信号が捕捉されないとき、パイロット捕捉の失敗メッセージを現在のサービスネットワークに送出する送出ユニットと、
を更に有する請求項１１記載の移動局。
【請求項１３】
前記移動局は、アイドルフレームの論理ロケーションのアップデートメッセージを受信し、前記移動局のトラフィックチャネルに対応する高速の関連する制御チャネルを介して前記パイロット捕捉の失敗のメッセージを送出する、
請求項１１又は１２記載の移動局。
【請求項１４】
現在のサービスネットワークはＧＳＭシステムである、
請求項１３記載の移動局。
【請求項１５】
前記ターゲットハンドオーバネットワークはＴＤ−ＳＣＤＭＡシステムである、
請求項１４記載の移動局。
【請求項１６】
移動局にサービスを提供する無線通信ネットワークであって、
アイドルフレームの論理ロケーションのアップデートメッセージを前記移動局に送出する送出ユニットと、
前記移動局についてその後に会う最初のアイドルフレームの論理ロケーションを調整する調整ユニットと、
前記移動局からパイロット捕捉の失敗メッセージを受信する受信ユニットと、
を有する無線通信ネットワーク。
【請求項１７】
前記無線通信ネットワークは、前記移動局のトラフィックチャネルに対応する高速の関連する制御チャネルを介して、アイドルフレームの論理ロケーションのアップデートメッセージを送出するか、前記パイロット捕捉の失敗メッセージを受信する、
請求項１６記載の無線通信ネットワーク。
【請求項１８】
前記無線通信ネットワークはＧＳＭシステムである、
請求項１７記載の無線通信ネットワーク。
【請求項１９】
前記ターゲットハンドオーバネットワークは、ＴＤ−ＳＣＤＭＡシステムである、
請求項１８記載の無線通信ネットワーク。
【発明の詳細な説明】
【技術分野】
【０００１】
本発明は、無線通信ネットワーク全般に関し、より詳細には、無線通信ネットワーク間のハンドオーバのためにパイロット捕捉に適用される方法及び装置に関する。
【背景技術】
【０００２】
ＧＳＭは、現在、広く使用されるセルラー無線通信ネットワークの１つである。ボイスサービスにとって優れた品質を提供するが、データ通信のその機能は、比較的弱い。したがって、たとえば、ＴＤ−ＳＣＤＭＡ、ＣＤＭＡ２０００及びＷＣＤＭＡといった、優れたデータ通信サービスを提供する無線通信ネットワークが提案されている。ＧＳＭ及び３つの無線通信ネットワークは固有の特徴をそれぞれ有するので、現実のアプリケーションにおいて必然的に共存する。したがって、ＧＳＭとこれら無線通信ネットワーク間で自由にハンドオーバすることが移動局（ＭＳ）にとって必要である。
【０００３】
図１は、ＧＳＭ又はＴＤ−ＳＣＤＭＡシステムからのハンドオーバの既存の手順を示す。図１に示されるように、ＧＳＭにより現在サービスされる移動局は、ＧＳＭにおけるベーストランシーバステーション（ＢＴＳold）を介してＧＳＭにおけるベースステーションコントローラ（ＢＳＣold）に測定リポートを送出する。受信された測定リポートに基づいて、ＢＳＣoldは、移動局がＴＤ−ＳＣＤＭＡシステムにハンドオーバする必要があるか判定する。ハンドオーバが必要とされるとき、ＢＳＣoldは、ＧＳＭにおける移動局センタＭＳＣold及びＴＤ−ＳＣＤＭＡシステムにおける無線ネットワークコントローラＲＮＣnewを介して、ＴＤ−ＳＣＤＭＡシステムにおけるベースステーションＮｏｄｅＢnewにハンドオーバ要求を送出する。ハンドオーバ要求に従って、ＮｏｄｅＢnewは、無線リソースを移動局に割り当て、要求の確認をＲＮＣnewに送出する。要求の確認に従って、ＲＮＣnewは、ＭＳＣold、ＢＳＣold及びＢＴＳoldを介して、ハンドオーバコマンドを移動局に送出する。ハンドオーバコマンドに従って、移動局は、ランダムアクセスチャネル（ＲＡＣＨ）を介してＴＤ−ＳＣＤＭＡシステムにおけるＮｏｄｅＢnewにアクセスし、ＮｏｄｅＢnewとの通信リンクを確立する。その後、ＮｏｄｅＢnewは、ＲＮＣnew、ＭＳＣold、ＢＳＣold及びＢＴＳoldに、ハンドオーバが終了したことを通知し、その後、ＭＳＣoldは、ＧＳＭにより移動局に割り当てられる無線リソースを利用する。
【０００４】
上述されたハンドオーバを行ったとき、移動局は、移動局がＴＤ−ＳＣＤＭＡシステムとの同期を確立するように、ＧＳＭからＴＤ−ＳＣＤＭＡへのハンドオーバの前にＴＤ−ＳＣＤＭＡシステムのパイロット信号を捕捉する必要がある。
【０００５】
ＴＤ−ＳＣＤＭＡプロトコルにおけるそれぞれのサブフレームは、図２に示されるダウンリンク同期で専用とされるパイロットタイムスロットＤｗＰＴＳを含み、ＴＤ−ＳＣＤＭＡシステムにおけるパイロット信号は、ＤｗＰＴＳで正確に搬送されることが知られている。したがって、ＴＤ−ＳＣＤＭＡのパイロット信号を捕捉することは、ＤｗＰＴＳで搬送されたパイロット信号を捕捉することを意味する。
【０００６】
ＧＳＭにおいて、移動局は、ＴＤ−ＳＣＤＭＡシステムにおけるパイロット信号を捕捉する４つのアイドルタイムスロットを有するパイロット捕捉の時間窓を通常は使用する。
【０００７】
図３は、パイロット捕捉の時間窓を有する４つのアイドルタイムスロットの概念図であり、ここでは、ＧＳＭシステムがそれぞれのＴＤＭＡフレームにおけるタイムスロットＴＳ１を、基地局との通信のために移動局に割り当てることが想定される。図３に示されるように、ＧＳＭでは、アップリングＴＤＭＡフレームは同じＴＤＭＡダウンリンクフレームの後に３タイムスロットだけ遅れるので、移動局は、移動局がＴＳ１を介して基地局に信号を送出する時間と、基地局がＴＳ１を介して移動局に信号を後続して送出する時間との間に多くとも４つのアイドルタイムスロットを有する。
【０００８】
ＴＤＭＡフレームにおける１つのタイムスロットの長さは、１５／２６ｍｓであり、したがって４つのアイドルタイムの期間は大まかに２．３ｍｓである。しかし、ＴＤ−ＳＣＤＭＡシステムにおける任意の２つの隣接するＤｗＰＴＳ間のタイムインターバルは５ｍｓであり、したがって、４つのアイドルタイムスロット内のＤｗＰＴＳのパイロット信号を捕捉することは移動局にとって困難である。さらに、パイロット信号を捕捉するとき、ＤｗＰＴＳが４つのアイドルタイムスロットによりカバーされるタイムゾーン内に正確に位置されるとしても、全ての移動局が、ＴＤ−ＳＣＤＭＡシステムの完全なパイロット信号を捕捉するために４つのアイドルタイムスロットを有するパイロット捕捉の時間窓を利用するとは限らない。
【０００９】
3GPP  TS  25.225  V5.0.0  (2002-03):  Physical  Layer-Measures  (TDD)  (Release  5)は、ＤｗＰＴＳにおける完全なパイロット信号を捕捉するために必要とされる最小時間を規定するものであり、以下の式（１）に従って計算される。
【００１０】
【数１】
2009500894.tif 000003
ここでＴDwPTS（＝０．２７５ｍｓ）は、ターゲットパイロット信号の期間であり、ｔoffsetは、ＧＳＭにおけるフレームとＴＤ−ＳＣＤＭＡシステムにおけるサブフレームの間のオフセットであり、これは、１２のＴＤ−ＳＣＤＭＡフレームは１３ＧＳＭフレームに等しいので、ＴTDMAframe／１２＝（６０／１３）／１２＝５／１３（ｍｓ）である。
【００１１】
Ｔsynthは、信号を送信／受信するために唯一の信号トランシーバを使用する移動局のシンセサイザによるＧＳＭとＴＤ−ＳＣＤＭＡの間の周波数のスイッチングを行うために必要とされる周期である。パイロットの捕捉のたびに、移動局は、ＧＳＭからＴＤ−ＳＣＤＭＡに、次いで再びＧＳＭに周波数をスイッチする必要があり、したがって、移動局は、パイロット信号を捕捉するために２ｔsynthを必要とする。異なる移動局について、ｔsynthのレンジは、０．２ｍｓから０．８ｍｓに変化する。ｔsynth＝０．８ｍｓであるとき、ｔmin,guranteedは、以下のように計算される。
【００１２】
【数２】
2009500894.tif 000004
式２から、ＧＳＭにおけるそれぞれのタイムスロットの期間は１５／２６ｍｓであるので、ｔmin,guranteedは、５タイムスロットの長さに近くなる。明らかに、ｔsynth＝０．８ｍｓのケースで、４つのアイドルタイムスロットは、ＴＤ−ＳＣＤＭＡシステムにおける完全なパイロット信号を捕捉する最小時間の要件を満たすことができない。
【００１３】
このケースでは、ＧＳＭにおけるアイドルフレームは、完全なパイロット信号を捕捉するために必要とされる。図４に示されるように、ＧＳＭにおけるマルチフレームは、２６のＴＤＭＡフレームを有し、１番目から１２番目と１４番目から２５番目のＴＤＭＡフレームは、トラフィックチャネル（ＴＣＨ）として示され、１３番目のＴＤＭＡフレームは、低速の関連する制御チャネル（ＳＡＣＣＨ）として示され、２６番目のＴＤＭＡフレームは、アイドルフレームとして示される。１つのアイドルフレームは８つのアイドルタイムスロットを有し、その全体の期間は４．６ｍｓであり、ＴＤ−ＳＣＤＭＡにおける２つの隣接するＤｗＰＴＳ間のタイムインターバル、すなわち５ｍｓに近くなる。したがって、アイドルフレームを使用してＴＤ−ＳＣＤＭＡシステムにおける完全なパイロット信号を捕捉することが容易となる。しかし、パイロット信号を捕捉する開始ポイントはランダムであり、それぞれマルチフレームは唯一のアイドルフレームを有し、アイドルフレームのロケーションは固定されているので、アイドルフレームによりパイロット信号を捕捉するために必要とされる時間は変動する。捕捉時間の期待値及び分散は、以下によりそれぞれ定義される。
【００１４】
【数３】
2009500894.tif 000005
ここでｔ＝ｉ×ＴTDMAframeは捕捉時間であり、ｉ（１≦ｉ≦２６，ｉ∈Ｎ）は、パイロット信号の捕捉が開始するときを表し、ＤｗＰＴＳは、マルチフレームにおけるアイドルフレームから開始するｉ番目のＴＤＭＡフレーム内に位置される。ｐ（ｉ）は、パイロット信号の捕捉が開始するときにマルチフレームにおけるアイドルフレームから開始するｉ番目のＴＤＭＡ内にＤｗＰＴＳが位置される確率であることが想定される。
【００１５】
【数４】
2009500894.tif 000006
式５及び６に示されるように、ＴＤ−ＳＣＤＭＡにおけるパイロット信号の捕捉の開始から捕捉の終了までに必要とされる時間は、
［外１］
2009500894.tif 000007
から
［外２］
2009500894.tif 000008
に変化し、およそ６〜２１ＴＤＭＡフレームであり、これは時間のかかるものである。
【００１６】
ターゲットハンドオーバシステムがＴＤ−ＳＣＤＭＡでないが、たとえばＷＣＤＭＡ又はＣＤＭＡ２０００といったパイロット信号を送出するためにタイムスロットを利用する他のセルラーモバイルシステムであるとき、上記の問題を有する。
【発明の開示】
【発明が解決しようとする課題】
【００１７】
したがって、無線通信ネットワークにおけるハンドオーバのためにパイロットの捕捉に適用される方法及び装置が必要とされる。
【００１８】
本発明の目的は、無線通信ネットワークにおけるハンドオーバのためのパイロットの捕捉に適用される方法及び装置を提供することにある。本方法及び装置を使用して、移動局は、ターゲットハンドオーバネットワークの完全なパイロット情報を捕捉するだけでなく、比較的短時間で全体のパイロット捕捉プロセスを達成することができる。
【課題を解決するための手段】
【００１９】
本発明の目的を実現するため、本発明によれば、無線通信ネットワーク間のハンドオーバの間に移動局により実行されることが意図されるパイロット信号を捕捉する方法は、以下のステップを含む。（ａ）現在のサービスネットワークから送出するアイドルフレームロジックのロケーションのアップデートメッセージを受信するステップ。（ｂ）アイドルフレームの論理ロケーションのアップデートメッセージに従ってその後に会う第一のアイドルフレームの論理ロケーションを調節する予め定義された長さをもつパイロット捕捉の時間窓を発生するステップ。（ｃ）パイロット捕捉の時間窓を使用することで、ターゲットハンドオーバのパイロット信号を捕捉するステップ。
【００２０】
無線通信ネットワーク間のハンドオーバのため、パイロットの捕捉について無線通信ネットワークに適用される方法であって、当該方法は、以下のステップを含む。（ａ）アイドルフレームロジックロケーションのアップデートメッセージを移動局に送出するステップ。（ｂ）移動局についてその後に会う第一のアイドルフレームの論理ロケーションを調節するステップ。
【００２１】
本発明の目的を実現するため、移動局は、以下を有する。受信ユニットは、現在のサービスネットワークからアイドルフレームの論理ロケーションのアップデートメッセージを受信する。調節ユニットは、予め定義された長さをもつパイロット捕捉の時間窓を発生するため、アイドルフレームの論理ロケーションのアップデートメッセージに従ってその後に会う第一のアイドルフレームの論理ロケーションを調節する。捕捉ユニットは、パイロット捕捉の時間窓を使用することでターゲットハンドオーバネットワークのパイロット信号を捕捉する。
【００２２】
上記目的を実現するため、移動局にサービスを行う無線通信ネットワークは、以下を有する。送出ユニットは、アイドルフレームの論理ロケーションのアップデートメッセージを移動局に送出する。調節ユニットは、移動局についてその後に会う第一のアイドルフレームの論理ロケーションを調節する。
【００２３】
受信ユニットは、移動局からのパイロット捕捉の失敗メッセージを受信する。  
本発明の十分な理解と共に他の目的及び効果は、添付図面と共に行われる、以下の説明及び請求項を参照することで明らかとなり、理解されるであろう。図面を通して、同じ参照符号は、同じ部材及びコンポーネントを示すことが理解される。
【発明を実施するための最良の形態】
【００２４】
図５は、本発明に係るハンドオーバのパイロットの捕捉に適用される方法を説明するフローチャートである。図５に示されるように、現在のサービスネットワークとして機能するＧＳＭから別のセルラーモバイルネットワークにハンドオーバすることを移動局が必要とするとき、ＧＳＭ及び移動局は、パイロットの捕捉の対応する開始ポイントが存在するＴＤＭＡフレームの後に挿入される、その後に会う第一のアイドルフレームの論理ロケーションをアップデートし（ステップＳ１０）。次いで、移動局は、予め定義された長さをもつパイロット捕捉の時間窓を発生するため、パイロット捕捉の対応する開始ポイントの後のアイドルタイムスロットを利用し（ステップＳ２０）、最終的に、移動局は、発生されたパイロット捕捉の時間窓における別のセルラーモバイルネットワークのパイロット信号を捕捉する（ステップＳ３０）。
【００２５】
図６は、本発明に係るＧＳＭアイドルフレームの論理ロケーションのアップデートを示す図である。図６に示されるように、ＧＳＭシステム及び移動局は、パイロットの捕捉の対応する開始ポイントが存在するＴＤＭＡフレームの後に挿入される、その後に会う第一のアイドルフレームの論理ロケーションを更新する。したがって、パイロットの捕捉の対応する開始ポイントの後に１２のアイドルタイムスロットが存在し、移動局は、パイロット捕捉の時間窓を発生するために１２のアイドルタイムスロットを利用する。さらに、移動局は、移動局がハンドオーバするのを期待する別のセルラーモバイルネットワークのパイロット信号を捕捉するため、パイロット捕捉の時間窓を利用する。
【００２６】
本発明は、タイムスロットでパイロット情報を送信するセルラーモバイルネットワークのパイロット信号を捕捉するために特に適する。したがって、ＴＤ−ＳＣＤＭＡ、ＣＤＭＡ２０００、ＣＤＭＡ  ＩＳ−９５及びＷＣＤＭＡの全てのパイロット信号は、本発明により提供されるパイロット捕捉方法により捕捉される。
【００２７】
説明の簡単さのため、以下では、図７と共に本発明の実施の形態に係る無線通信ネットワークにおけるハンドオーバのパイロット捕捉に適用される方法を説明するため、ＧＳＭからＴＤ−ＳＣＤＭＡへのハンドオーバする移動局を例として取り上げる。
【００２８】
移動局がＧＳＭからＴＤ−ＳＣＤＭＡにハンドオーバすべきことを現在のサービスネットワークとしてサービスするＧＳＭシステムが判定したとき、移動局は、はじめに、パイロットの捕捉の第一の開始ポイントの後の４つのアイドルタイムスロットを含むパイロット捕捉の時間窓を利用し、ＴＤ−ＳＣＤＭＡシステムのパイロット信号、すなわちＤｗＰＴＳを介してＴＤ−ＳＣＤＭＡシステムにより送信されるパイロット信号を捕捉しようとする（ステップＳ１００）。
【００２９】
移動局が４つのアイドルタイムスロットを含むパイロット捕捉の時間窓によりＴＤ−ＳＣＤＭＡシステムの完全なパイロット信号を捕捉する場合、パイロットの捕捉が終了する。
【００３０】
移動局が４つのアイドルタイムスロットを含むパイロットの捕捉の時間窓によりＴＤ−ＳＣＤＭＡシステムの完全なパイロット信号を捕捉することができない場合、移動局は、トラフィックデータをそのトラフィックチャネルを介してＧＳＭシステムに送出するとき、そのトラフィックチャネル（ＴＣＨ）に対応する高速の関連する制御チャネル（ＦＡＣＣＨ）を介して、パイロット捕捉の失敗メッセージをＧＳＭシステムに送出する。
【００３１】
パイロット捕捉の失敗のメッセージの受信に応答して、ＧＳＭシステムは、その後に会う第一のアイドルフレームと、第一の開始ポイントのパイロットの捕捉が存在するＴＤＭＡフレームとの間の時間インターバルが３つのＴＤＭＡフレームの長さよりも長いか又は等しいかを判定する（ステップ１２０）。以下に記載されるように、実施の形態では、移動局がＧＳＭシステムにより送出されたアイドルフレームの論理ロケーションのアップデートメッセージを受信したことをＧＳＭシステムが確認したときにのみ、ＧＳＭシステムはアイドルフレームの論理ロケーションをアップデートし、ＧＳＭシステムがアイドルフレームの論理ロケーションをアップデートしたことを移動局が確認したときにのみ、移動局は、大きなパイロット捕捉の時間窓を生成する。したがって、ＧＳＭシステムと移動局の間で少なくとも３つのシグナリングのやり取りを必要とする。本実施の形態では、ＧＳＭシステムと移動局との間のシグナリングは、移動局のＴＣＨに対応するＦＡＣＣＨにより送信されるので、３つのシグナリングのやり取りは、２つのＴＤＭＡフレームの時間を必要とする。したがって、パイロット捕捉の失敗のメッセージを受信した後に、その後に会う第一のアイドルフレームと、パイロット捕捉の第一の開始ポイントが存在するＴＤＭＡフレームとの間の時間インターバルが３ＴＤＭＡフレームの時間よりも大きいか、又は等しいかに基づいて、ＧＳＭシステムは、アイドルフレームの論理ロケーションをアップデートすることが必要であるかを判定する。
【００３２】
時間インターバルが３ＴＤＭＡフレームの期間よりも短いと判断された場合、ＧＳＭシステムは通常の動作を行い、すなわち、その後に会う第一のアイドルフレームの論理的なロケーションを更新しない（ステップＳ１３０）。
【００３３】
時間インターバルが３ＴＤＭＡフレームの時間よりも長いと判断された場合、ＧＳＭシステムは、移動局のトラフィックチャネル（ＴＣＨ）に対応する高速の関連する制御チャネル（ＦＡＣＣＨ）を介して移動局に、アイドルフレームの論理ロケーションのアップデートメッセージを送出し、移動局のトラフィックチャネルを介して移動局にトラフィックデータを送出する（ステップＳ１５０）。
【００３４】
移動局のトラフィックチャネルに対応するＦＡＣＣＨを介してＧＳＭシステムからアイドルフレームの論理ロケーションのアップデートメッセージを移動局が受けた後、そのトラフィックチャネルを介してＧＳＭシステムにトラフィックデータを送出する間、移動局は、そのトラフィックチャネルに対応するＦＡＣＣＨを介してＧＳＭシステムにメッセージ応答メッセージを送出し、アイドルフレームの論理ロケーションのアップデートメッセージが受信されたことをＧＳＭシステムに通知する（ステップＳ１６０）。
【００３５】
ＧＳＭシステムが移動局のトラフィックチャネルに対応するＦＡＣＣＨを介して移動局から応答メッセージを受信した後、ＧＳＭシステムは、移動局のトラフィックチャネルを介して移動局にトラフィックデータを送出する間、ＧＳＭシステムは、移動局のトラフィックチャネルに対応するＦＡＣＣＨを介して、応答確認メッセージを移動局に送出し（ステップＳ１７０）、パイロット捕捉の第一の開始ポイントが存在するＴＤＭＡフレームの後に挿入される、その後に会う第一のアイドルフレームの論理ロケーションをアップデートする（ステップＳ１８０）。したがって、図６に示されるように、パイロット捕捉の第一の開始ポイントの後に１２のアイドルタイムスロットが存在する。
【００３６】
そのトラフィックチャネルに対応するＦＡＣＣＨを介してＧＳＭシステムから応答確認を受信した後、移動局は、パイロット捕捉の第一の開始ポイントが存在するＴＤＭＡフレームの後に挿入される、その後に会う第一のアイドルフレームの論理的なロケーションをアップデートし、パイロット捕捉の第一の開始ポイントの後の１２のアイドルタイムスロットでパイロット捕捉の時間窓を発生する（ステップＳ１８０）。
【００３７】
移動局は、発生されたパイロット捕捉の時間窓におけるＴＤ−ＳＣＤＭＡシステムのパイロット信号を捕捉する（ステップＳ２００）。
【００３８】
本発明の実施の形態に係る無線通信ネットワークにおけるハンドオーバのためのパイロットの捕捉に適用される方法は、図７と共に上述される。ここで、ＧＳＭシステムは、移動局から応答メッセージを受信した後にアイドルフレームの論理的なロケーションをアップデートし、不適切な動作を回避するように、アイドルフレームの論理的なロケーションのアップデートメッセージを移動局が受信しない条件下で、ＧＳＭシステムがアイドルフレームの論理的なロケーションをアップデートしないことが保証される。
【００３９】
本発明の別の実施の形態では、チャネルの状態により、ＧＳＭシステムからアイドルフレームの論理ロケーションのアップデートメッセージを移動局が確かに受信するとき（たとえば信号対雑音比が予め定義された閾値よりも高い）、アイドルフレームの論理ロケーションのアップデートメッセージを移動局に送出した後、ＧＳＭシステムは、パイロット捕捉の第一の開始ポイントが存在するＴＤＭＡフレームの後に挿入される、その後に会う第一のアイドルフレームの論理ロケーションをアップデートし、第一の開始ポイントは、アイドルフレームの論理ロケーションのアップデートメッセージが送出された後に最初に会う。
【００４０】
したがって、ＧＳＭシステムからアイドルフレームの論理ロケーションのアップデートメッセージを受信するとき、移動局は、パイロット捕捉の第一の開始ポイントが存在するＴＤＭＡフレームの後に挿入される、その後に会う第一のアイドルフレームの論理的なロケーションをアップデートし、大きなパイロット捕捉の時間窓を発生するためにパイロット捕捉の第一の開始ポイントの後にアイドルタイムアウトを利用するように、第一の開始ポイントは、アイドルフレームの論理ロケーションのアップデートメッセージが送出された後に最初に会う。
【００４１】
さらに、本発明の更に別の実施の形態では、ＧＳＭシステムにとって、移動局からパイロット捕捉の失敗の情報を受信した後にアイドルフレームの論理ロケーションのアップデートメッセージを送出する必要がなく、対照的に、移動局がＧＳＭからＴＤ−ＳＣＤＭＡにハンドオーバする必要があることを判定したとき、ＧＳＭシステムは、移動局にアイドルフレームの論理ロケーションのアップデートメッセージを送出する。
【００４２】
図８は、従来のパイロット捕捉方法及び本発明で提供される方法を示す概念図であり、ＧＳＭは、それぞれＴＤＭＡフレームにおけるタイムスロットＴＳ１を移動局に通信のために割り当て、パイロット信号は、ＴＤ−ＳＣＤＭＡシステムのそれぞれのサブフレームにおいてＤｗＰＴＳで送信される。
【００４３】
図８に示されるように、ＴＤ−ＳＣＤＭＡシステムのパイロット信号を捕捉するために従来のパイロット捕捉方法が利用されるとき、ＴＤ−ＳＣＤＭＡシステムにおけるＤｗＰＴＳは、３ＴＤＭＡフレームの間の４つのアイドルタイムスロットを含む従来のパイロット捕捉の時間窓のカバレッジ内に位置されないので、従来のパイロット捕捉方法は、３ＴＤＭＡフレーム内のＤｗＰＴＳにおいてパイロット信号を捕捉することができない。
【００４４】
本発明における実施の形態によれば、開始からＴＤ−ＳＣＤＭＡシステムにおけるパイロット信号が捕捉されるまでの完全なパイロット捕捉プロセスは、ＧＳＭシステムがアイドルフレームの論理ロケーションのアップデートメッセージを送出し、移動局がアイドルフレームの論理ロケーションのアップデートメッセージを受信し、応答メッセージを送出する。つぎに、ＧＳＭシステムは、応答メッセージを受け、応答確認メッセージを送出し、その後に会う最初のアイドルフレームの論理ロケーションをアップデートし、最終的に、応答確認メッセージを受信した後、移動局は、その後に会う最初のアイドルフレームの論理ロケーションをアップデートし、ＤｗＰＴＳにおけるパイロット信号を捕捉するためにパイロット捕捉の最初の開始ポイントの後の１２のアイドルタイムスロットにより形成されるパイロット捕捉の時間窓を利用し、この時間窓は、３ＴＤＭＡフレームの長さ、すなわちｔ＝３×ＴTDMA  FRAME＝３×６０／１３＝１３．８４８ｍｓ続く。
【００４５】
本発明の別の実施の形態によれば、チャネルの状況により、移動局が、ＧＳＭシステムからのアイドルフレームの論理ロケーションのアップデートメッセージを確実に受信するとき（たとえば、信号対雑音比は、予め定義された閾値よりも大きい）、開始からＴＤ−ＳＣＤＭＡシステムにおけるパイロット信号が捕捉されるまでの完全なパイロット捕捉プロセスは、はじめに、ＧＳＭシステムがアイドルフレームの論理ロケーションのアップデートメッセージを送出し、その後に会う最初のアイドルフレームの論理ロケーションをアップデートし、次いで、アイドルフレームの論理ロケーションのアップデートメッセージを受信した後、移動局は、その後に会う最初のアイドルフレームの論理ロケーションをアップデートし、ＤｗＰＴＳにおけるパイロット信号を捕捉するためにパイロット捕捉の最初の開始ポイントの後に１２のアイドルタイムスロットにより形成されるパイロット捕捉の時間窓を利用し、この時間窓は、２ＴＤＭＡフレームの長さ、すなわちｔ＝２×ＴTDMA  FRAME＝２×６０／１３＝９．２３２ｍｓで続く。
【００４６】
本発明で提供されるようにハンドオーバのためのパイロット捕捉に適用される先の方法に関して、ハードウェア又はソフトウェア、若しくは両者の組み合わせで実現することができる。
【００４７】
図９は、本発明の実施の形態に係る移動局及び無線通信ネットワークを示すブロック図であり、移動局１００、及び移動局１００にサービスを提供する無線通信ネットワーク２００のみが示されている。
【００４８】
図９に示されるように、移動局１００では、アップリンクタイムスロットとダウンリンクタイムスロットとの間のアイドルタイムスロットを有するパイロット捕捉の時間窓を利用することで、捕捉ユニット１１０は、（たとえばＴＤ−ＳＣＤＭＡ）ターゲットハンドオーバネットワークのパイロット信号を捕捉することを試みる。ターゲットハンドオーバネットワークのパイロット信号が捕捉されないとき、送出ユニット１２０は、移動局１００のトラフィックチャネルに対応するＦＡＣＣＨを介して無線通信ネットワーク２００にパイロット捕捉の失敗メッセージを送出する。受信ユニット１３０は、無線通信ネットワーク２００から、移動局のトラフィックチャネルに対応するＦＡＣＣＨを介して移動局について、アイドルフレームの論理ロケーションのアップデートメッセージを受信する。アイドルフレームの論理ロケーションのアップデートメッセージに従って、調節ユニット１４０は、その後に会う最初のアイドルフレームの論理ロケーションを調節し、予め定義された長さをもつパイロット捕捉の時間窓を生成する。捕捉ユニット１１０は、パイロット捕捉の時間窓を使用することでターゲットハンドオーバネットワークのパイロット信号を捕捉する。
【００４９】
移動局１００（たとえばＧＳＭシステム）にサービスを提供する無線通信ネットワーク２００において、受信ユニット２１０は、移動局のトラフィックチャネルに対応するＦＡＣＣＨを介して移動局１００からパイロット捕捉の失敗メッセージを受信する。パイロット捕捉の失敗メッセージを受信した後、送出ユニット２２０は、移動局のトラフィックチャネルに対応するＦＡＣＣＨを介してパイロット捕捉１００にアイドルフレームの論理ロケーションのアップデートメッセージを送出する。調節ユニット２３０は、移動局１００についてその後に会う最初のアイドルフレームの論理ロケーションを調整する。
【００５０】
上述したように、図面と共に、本発明によれば、本発明の方法及び装置において、現在のサービスネットワークとしてサービスするＧＳＭネットワーク及び移動局は、パイロット捕捉の最初の開始ポイントが存在するＴＤＭＡフレームの後に挿入される、アイドルフレームの論理ロケーションをアップデートし、これにより、移動局は、対応する開始ポイントの後にアイドルタイムスロットを利用して、大きなパイロット捕捉の時間窓を発生し、窓を使用することでターゲットハンドオーバシステムのパイロット信号を捕捉することができる。したがって、従来のパイロット捕捉方法に比較して、本発明に係るパイロット捕捉方法は、ターゲットハンドオーバシステムのパイロット信号を捕捉するだけでなく、パイロット捕捉プロセスの期間を比較的短くする。
【００５１】
ＧＳＭからＴＳ−ＳＣＤＭＡへのハンドオーバが例として行われる、本発明で提供されるハンドオーバのパイロット捕捉に適用される方法及び装置は、ＧＳＭからＷＣＤＭＡ、ＣＤＭＡ  ＩＳ−９５又はＣＤＭＡ２０００等へのハンドオーバに適用することもできる。
【００５２】
本発明で開示されるハンドオーバのためのパイロット捕捉に適用される方法及び装置は、特許請求の範囲により定義される本発明の精神及び範囲から逸脱することなしに、様々な変更からなされることが理解される。
【図面の簡単な説明】
【００５３】
【図１】移動局によりＧＳＭからＴＤ−ＳＣＤＭＡへのハンドオーバの既存の手順を示す図である。
【図２】ＴＤ−ＳＣＤＭＡプロトコルにおけるサブフレームの構造を示す図である。
【図３】ＧＳＭにおける４つのアイドルタイムスロットを示す図である。
【図４】ＧＳＭにおけるマルチフレームの構造を示す図であり、Ｔはトラフィックチャネルを示し、Ａは低速の関連する制御チャネル（ＳＡＣＣＨ）を示し、――はアイドルフレームを示す。
【図５】本発明の実施の形態に係るパイロット捕捉の方法を示すフローチャートである。
【図６】本発明の実施の形態に係るＧＳＭアイドルフレームのロジックロケーションアップデートを示す図である。
【図７】本発明の実施の形態に係るパイロット捕捉方法を示すフローチャートである。
【図８ａ】従来のパイロット捕捉方法を示す図である。
【図８ｂ】本発明により提供される方法を示す図である。
【図８ｃ】本発明により提供される方法を示す図である。
【図９】本発明の実施の形態に係る移動局とモバイルネットワークを示すブロック図である。
【図１】
2009500894.tif 000009
【図２】
2009500894.tif 000010
【図３】
2009500894.tif 000011
【図４】
2009500894.tif 000012
【図５】
2009500894.tif 000013
【図６】
2009500894.tif 000014
【図７】
2009500894.tif 000015
【図８ａ】
2009500894.tif 000016
【図８ｂ】
2009500894.tif 000017
【図８ｃ】
2009500894.tif 000018
【図９】
2009500894.tif 000019
【国際調査報告】
2009500894.tif 000020
2009500894.tif 000021